(57)【要約】【課題】  吊上げ用の引掛け部がない、又は引掛け部の劣化等の問題によって引掛け部を用いて安全に吊り上げることができない運搬物を、確実且つ安全に吊り上げることが可能な吊上げ具を提供する。【解決手段】  運搬物Ｔの側面に沿わせるように巻き付けることで両端部が該側面に沿って対向する巻付け部２と、巻付け部２の両端部の夫々に設けた複数の吊りベルト掛部３と、巻付け部２又は吊りベルト掛部３に取り付けられるとともに、全部又は一部の吊りベルト掛部３に摺動自在に係合可能な吊りベルト４とを備え、運搬物Ｔに対して巻付け部２を巻き付けた状態で、両端部の吊りベルト掛部３に係合させた吊りベルト４を引き上げることで、吊りベルト４が巻付け部２とともに運搬物Ｔを締め付けながら吊り上げるものとした。【選択図】図７
2018065646.tif 000002
【特許請求の範囲】
【請求項１】
運搬物の側面に沿わせるように巻き付けることで両端部が該側面に沿って対向する巻付け部と、
該巻付け部の前記両端部の夫々に設けた単又は複数の吊りベルト掛部と、
前記巻付け部又は前記吊りベルト掛部に取り付けられるとともに、全部又は一部の前記吊りベルト掛部に摺動自在に係合可能な吊りベルトとを備え、
運搬物に対して前記巻付け部を巻き付けた状態で、前記両端部の前記吊りベルト掛部に係合させた前記吊りベルトを引き上げることで、該吊りベルトが前記巻付け部とともに運搬物を締め付けながら吊り上げるものであることを特徴とする吊上げ具。
【請求項２】
前記巻付け部が、複数の長尺ベルトと、該複数の長尺ベルトを平行に並べた状態で連結する連結体とを有してなる請求項１記載の吊上げ具。
【請求項３】
前記吊りベルト掛部が、前記長尺ベルトの両端部に設けられてなる請求項２記載の吊上げ具。
【請求項４】
吊上げ状態において、前記吊りベルトの反対側で前記巻付け部を吊り上げるための補助ベルトを設けてなる請求項１乃至３の何れか１項記載の吊上げ具。
【請求項５】
前記吊りベルトによる吊上げによって運搬物が傾いた後に、前記補助ベルトによる吊上げ方向の力が運搬物に作用するものである請求項４記載の吊上げ具。
【請求項６】
前記吊りベルト掛部が、前記巻付け部の両端部にリング状金具が設けられてなる請求項１乃至５の何れか１項記載の吊上げ具。
【請求項７】
請求項１乃至５のいずれか１項に記載の前記吊上げ具を、運搬物の外周に巻き付けて前記吊りベルトを重機で上方に引き上げることで運搬物を吊り上げる運搬物の吊上げ方法。
【発明の詳細な説明】
【技術分野】
【０００１】
本発明は、荷物が収容されたフレキシブルコンテナバッグ等の運搬物を吊り上げるために用いる吊上げ具に関し、さらに詳しくは、吊上げ用の引掛け部がない、又は引掛け部の劣化等の問題によって安全に吊り上げることができない運搬物であっても確実且つ安全に吊り上げることが可能な吊上げ具に関する。
【背景技術】
【０００２】
従来、袋体とその吊り具として、略直方体形状を有する袋体が、その上面における対向する辺に沿って夫々配置されるとともに両端が前記袋体と一体化された一対の帯を有し、前記帯の長さと対応した間隔で略平行に配置された一対の係合部を一対の前記帯の間隔と対応する距離だけ離して相互に反対方向へ突出させて二組形成するとともに中央に吊り部を形成した吊り具本体と、夫々の前記係合部の上面に外側へ向かって低くなるように形成された斜面と、夫々の前記係合部を上下から挟むようにして配置されるとともに鉛直方向へ伸びるピンを介して回動自在に前記係合部に取り付けられたコの字形横断面形状を有する掛け部材とから構成したものがある（特許文献１参照）。
この吊り具は、袋体の上面に設けられた帯に、この帯に対応する吊り具を差し込んで取り付けることで、フレキシブルコンテナバッグを吊り上げることができるものである。
【０００３】
しかし、この吊り具は、帯が設けられた専用の袋体を用いる必要があり、また、このような専用の袋体を用いたとしても劣化によって帯が破断するおそれがある場合には用いることができないといった問題があった。
【先行技術文献】
【特許文献】
【０００４】
【特許文献１】実公平１−２６７０６号公報
【発明の概要】
【発明が解決しようとする課題】
【０００５】
本発明が前述の状況に鑑み解決しようとするところは、吊上げ用の引掛け部がない、又は引掛け部の劣化等の問題によって引掛け部を用いて安全に吊り上げることができない運搬物を確実且つ安全に吊り上げることが可能な吊上げ具を提供する点にある。
【課題を解決するための手段】
【０００６】
本発明に係る吊上げ具は、前記課題解決のために、運搬物の側面に沿わせるように巻き付けることで両端部が該側面に沿って対向する巻付け部と、該巻付け部の前記両端部の夫々に設けた単又は複数の吊りベルト掛部と、前記巻付け部又は前記吊りベルト掛部に取り付けられるとともに、全部又は一部の前記吊りベルト掛部に摺動自在に係合可能な吊りベルトとを備え、運搬物に対して前記巻付け部を巻き付けた状態で、前記両端部の前記吊りベルト掛部に係合させた前記吊りベルトを引き上げることで、該吊りベルトが前記巻付け部とともに運搬物を締め付けながら吊り上げることができるものである。
【０００７】
また、前記巻付け部が、複数の長尺ベルトと、該複数の長尺ベルトを平行に並べた状態で連結する連結体とを有してなるものであってもよい。
【０００８】
さらに、前記吊りベルト掛部が、前記長尺ベルトの両端部に設けられてなるものであってもよい。
【０００９】
さらにまた、吊上げ状態において、前記吊りベルトの反対側で前記巻付け部を吊り上げるための補助ベルトを設けてなるものであってもよい。
【００１０】
また、前記吊りベルトによる吊上げによって運搬物が傾いた後に、前記補助ベルトによる吊上げ方向の力が運搬物に作用するものとすることもできる。
【００１１】
さらに、前記吊りベルト掛部が、前記巻付け部の両端部にリング状金具が設けられてなるものであってもよい。
【００１２】
また、前記吊上げ具を運搬物の外周に巻き付けて、前記吊りベルトを重機で上方に引き上げることで運搬物を吊り上げる運搬物の吊上げ方法を採用することができる。
【発明の効果】
【００１３】
本発明に係る吊上げ具によれば、運搬物に吊上げ用の引掛け部がない状態であっても、運搬物を吊り上げることができる。
【００１４】
また、前記巻付け部が、複数の長尺ベルトと、該複数の長尺ベルトを平行に並べた状態で連結する連結体とを有してなるものによると、長尺ベルトで運搬物を締め付けて吊り上げるため、吊上げ具に必要な強度の確保が容易となる。また、長尺ベルトが運搬物に食い込むため、運搬物の脱落を防止することができる。
【００１５】
さらに、前記吊りベルト掛部が、前記長尺ベルトの両端部に設けられてなるものであれば、吊りベルトを引き上げることで、吊りベルト掛部を介して長尺ベルトを両端から引っ張ることができ、運搬物の締付け及び吊上げをより確実に行うことができる。
【００１６】
さらにまた、吊上げ状態において、前記吊りベルトの反対側で前記巻付け部を吊り上げるための補助ベルトを設けてなるものであれば、吊りベルトと、この反対側に位置する補助ベルトを用いて運搬物を吊り上げるため、吊上げ状態における運搬物の姿勢を安定させることができる。
【００１７】
また、前記吊りベルトによる吊上げによって運搬物が傾いた後に、前記補助ベルトによる吊上げ方向の力が運搬物に作用するものであれば、吊りベルトによる吊上げは、吊りベルトによる運搬物の締付けの力が十分に作用した後に行われるものであるため、傾いた運搬物、つまり吊りベルトによる吊上げが作用した後に補助ベルトによる吊上げが作用することで、十分な締付けを確実に行なった状態で運搬物を吊り上げることができる。
【００１８】
さらに、前記吊りベルト掛部が、前記巻付け部の両端部にリング状金具が設けられてなるものによれば、リング状金具に吊りベルトを挿通して係合させることで、吊りベルトに作用する摩擦力を小さくすることができ、運搬物の締付けをスムーズに行うことが可能となる。
【００１９】
前記吊上げ具を、運搬物の外周に巻き付けて前記吊りベルトを重機で上方に引き上げることで運搬物を吊り上げる運搬物の吊上げ方法では、前記吊上げ具とクレーン車、パワーショベル又はフォークリフト等の汎用の重機だけで運搬物を吊り上げることができる。
【図面の簡単な説明】
【００２０】
【図１】本発明の実施形態に係る吊上げ具の構成を示す斜視図である。
【図２】同じく吊上げ具の使用方法を示す斜視図であって運搬物に吊上げ具を巻き付ける前の状態を示すものである。
【図３】同じく吊上げ具の使用方法を示す斜視図であって運搬物に吊上げ具を巻き付けた状態を示すものである。
【図４】同じく吊上げ具の使用方法を示す斜視図であって運搬物に巻き付けた吊上げ具の吊りベルトを上方へ引き上げる状態を示すものである。
【図５】同じく吊上げ具の使用方法を示す斜視図であって運搬物を締め付けた状態を示すものである。
【図６】同じく吊上げ具の使用方法を示す斜視図であって運搬物を吊り上げた状態を示すものである。
【図７】同じく吊上げ具の使用方法を示す斜視図であって運搬物を運搬する状態を示すものである。
【発明を実施するための形態】
【００２１】
以下、本発明の実施形態を添付図面に基づき詳細に説明するが、本発明は、添付図面に示された形態に限定されず特許請求の範囲に記載の要件を満たす実施形態の全てを含むものである。
【００２２】
図１に示すように、吊上げ具１は、例えば、運搬物Ｔの側面に沿わせるように巻き付けることで両端部が該側面に沿って対向する巻付け部２と、巻付け部２の両端部の夫々に設けた複数の吊りベルト掛部３と、巻付け部２又は吊りベルト掛部３に取り付けられるとともに、全部又は一部の吊りベルト掛部３に摺動自在に係合可能な吊りベルト４とを備え、運搬物Ｔに対して巻付け部２を巻き付けた状態で、両端部の吊りベルト掛部３に係合させた吊りベルト４を引き上げることで、吊りベルト４が巻付け部２とともに運搬物Ｔを締め付けながら吊り上げるものである。
【００２３】
ここで、運搬物Ｔの側面とは、吊上げ直前の運搬物における側面をいう。また、両端部が側面に沿って対向するとは、運搬物Ｔの側面の大部分に巻き付けられた巻付け部２の両端部を運搬物の側面上で突き合わせるように位置させることをいい、具体的には運搬物Ｔの側面の約半周程度に巻き付けられた巻付け部の両端部や、略全周にわたって巻き付けられた巻付け部の両端部の吊りベルト掛部が互いに重なり合いながら対向するものとなる状態を含む。また、巻付け部２及び吊りベルト４は、合成樹脂製繊維を縫製加工したものとして構成しているが、これに限らず、他の素材のベルト部材や、例えばロープやチェーンなどであってもよく、少なくとも引張り力を伝達することができる長尺部材であればよい。
【００２４】
巻付け部２は、平行に設けられた略同一の長さ寸法を有する三本の長尺ベルト６ａ、６ａ、６ｂと、これらを連結する六枚の連結体７ａ，７ｂ，…と、三本の長尺ベルト６ａ、６ａ、６ｂの両端部に設けられた吊りベルト掛部３，３，３とよりなるものである。これにより、巻付け部２は略長方形状の外形を有するものとして形成され、運搬物Ｔに巻き付けやすい形状として構成されている。また、長尺ベルト６の両端にリングを取り付けて吊りベルト掛部としているため、吊りベルト４による引張り力が長尺ベルト６の長手方向にかかり、吊上げ具１に必要な強度を確保しやすく、耐久性の高いものとなっている。
また、巻付け部２が長尺ベルト６と連結体７とが格子状に組み合わせて構成されていることによって、少ない部材による簡易な構成で十分な強度を有するとともに、広い範囲を覆うことができる。
【００２５】
巻付け部２の縦横寸法は、対象とする運搬物Ｔの側面に巻き付けることができる寸法であればよいが、一例として図示するものは、長手方向（横方向）の寸法を、運搬対象とするフレコンの側面の大部分（三面から三面半程度）を覆うことができるものとし、短手方向（縦方向）の寸法を、当該フレコンの高さよりも若干短いものとしている。これにより、巻付け部２を運搬物Ｔに巻き付けた後に、巻付け部２の両端部に設けられた吊りベルト掛部３，３，…を引き上げて、巻付け部２によって運搬物Ｔを十分に締め付けるとともに、確実に保持することができる。
ここで、巻付け部２は、両端部に設けられた吊りベルト掛部３よりも内側に、調整用の吊りベルト掛部を更に設けてなるものであってもよく、このような構成によると、巻付け部２よりも外周が短い寸法の運搬物であっても、吊りベルト４を調整用の吊りベルト掛部に係合させて引き上げることで、十分に締め付けた状態で吊り上げることができる。
【００２６】
吊りベルト掛部３，３，…は、巻付け部２の長手方向における両端に夫々三個ずつ合計六個設けられている。この吊りベルト掛部３は、巻付け部２の長尺ベルト６の端部に別部材である金属製のリングが取り付けられてなるものであるため、吊上げ作業による大きな負荷に対しても耐え得る十分な強度を有するものとして構成されている。また、金属製のリングによって構成されていることによって摩擦抵抗が低く、吊りベルト４との間にかかる摩擦力が小さいため、吊上げ作業における吊りベルト４の摩耗を少なくし、製品の耐久性を向上することができるものとなっている。
【００２７】
吊りベルト４は、ベルト部材で構成されるものであって、一端が吊上げ具１に取り付けられ、他端がクレーン車等の重機に取り付けられて使用されるものである。この吊りベルト４は、例えば、図示するように二本用いるものとし、夫々の一端を吊上げ作業において最下位置となる二つの吊りベルト掛部３，３に固定し、これらを互いに反対側のベルト掛部３にも係合させながらベルト掛部３に挿通されることで引き上げ可能な状態となるものである。
ここで、吊りベルト４はベルト部材に限らず、例えばロープやチェーンなどの引張り力を伝達することができる長尺部材であればよい。また、吊りベルト４の中間にストッパーとなる切替部分や別部材を設けることで、吊上げ作業中における運搬物Ｔへの過度の締付けを防止するものとしてもよい。また、吊りベルト４の巻付け部２への取付けは、図示するように吊りベルト掛部３に結び付けるものとしても良いが、巻付け部２への縫い付けや別金具等による固定や、巻付け部２を構成する長尺ベルト６の延長部分を吊りベルト４として構成したものであってもよく、また、吊りベルト４を一本で構成するものとし、この吊りベルト４を全て又は一部の吊りベルト掛部３へ挿通し、この両端部を重機によって引き上げるものとしてもよい。
【００２８】
巻付け部２には、吊りベルト４に加えて、吊りベルト４による吊上げを補助するための補助ベルト５が設けられている。この補助ベルト５は、一端が巻付け部２の中央部分に取り付けられているため、吊上げ作業において、吊りベルト４の反対側に位置するものとなっている。また、この補助ベルト５は、巻付け部２を構成する中間の長尺ベルト６ａに取り付けられることで、補助ベルト５の上方への吊上げによる運搬物Ｔからの巻付け部２が抜け難いものとして構成されている。
なお、補助ベルト５は、巻付け部２や吊りベルト４と同じ合成樹脂繊維を縫製加工したものとして構成することで製造コストを低廉化しているが、これに限らず、他の素材のベルト部材や、例えばロープやチェーンなどであってもよく、少なくとも引張り力を伝達することができる長尺部材であればよい。また、補助ベルト５は、着脱可能に取り付けられたものや、長さを変更することができるものであってもよい。
【００２９】
巻付け部２を構成する長尺ベルト６及び連結体７について説明する。
【００３０】
巻付け部２では略同一寸法の三本の長尺ベルト６，６，６が平行に配置されている。これらは合成繊維製の伸びない又は伸び難いベルトであるため、吊りベルト４から伝達される力を直接運搬物Ｔの締付け及び引上げの力に利用することができる。また、吊上げ作業において最下位置となる長尺ベルト６ｂは、他の長尺ベルト６ａよりも幅狭なもので構成されている。このため、吊上げ作業において運搬物Ｔを締め付ける際に運搬物Ｔへ食い込み易く、吊上げ作業中に運搬物Ｔが抜け落ちることを防止することができる。
【００３１】
巻付け部２では三本の長尺ベルト６，６，６を夫々間隔をあけて連結する連結体７が設けられている。巻付け部２の両端部を除く中間では、幅広の連結体７ａが設けられ、各長尺ベルト６を連結するとともに、吊上げ状態において運搬物を確実に保持し、また、巻付け部２の両端部においては、幅狭の連結体７ｂで連結することで、使用者が巻付け体２の端部を確認し易いものとし、作業性の向上と取扱いの容易化を図るものとしている。
【００３２】
巻付け部２では長尺ベルト６と連結体７が格子状に組み合わせられているため、これらの間には何も存在しない間隙８が形成される。これらの間隙８，８，…は、吊り具１で運搬物Ｔを締め付けた際に、運搬物Ｔに巻付け部２が食い込むことによって、運搬物Ｔが外側に突出する形となり、運搬物Ｔをより確実に保持することとなるものである。
【００３３】
以下、吊上げ具１を用いた一般的なフレキシブルコンテナバッグに収容した運搬物Ｔの吊上げ方法及び運搬方法を図２乃至図７に沿って説明する。
【００３４】
まず、図２に示すように、吊上げ具１を運搬物Ｔの側面に沿わせるようにして位置させる。このとき、吊上げ具１の最上位置の長尺ベルト６ａが運搬物Ｔの上端近傍にあると、締付けの際に当該長尺ベルト６ａが運搬物Ｔの上方に抜けてしまう可能性があるため、当該長尺ベルト６ａが運搬物Ｔの上端よりも若干下方に位置するように、吊上げ具１の高さを設定する。
【００３５】
次に、図３に示すように、吊上げ具１を運搬物Ｔの側面を覆うように配置させた状態で、一端が最下位置の吊りベルト掛部３に結び付けられた一方の吊りベルト４を、反対側で同じ高さに位置する吊りベルト掛部３に挿通し、続けて対向する側の一段上に挿通することで略く字状となるように吊りベルト掛部３に係合させ、更に対向する側の一段上に挿通させる。その後、他方の吊りベルトも同様に吊りベルト掛部３に係合させる。このとき、吊りベルト掛部３はリング状金具によって構成されているため、吊りベルト３に過剰な摩擦力を作用させずスムーズな吊りベルト３の挿通が可能となっている。
【００３６】
最後に、吊りベルト４及び補助ベルト５の先端をクレーン車のフックＦに引っ掛けて略真上方向に引き上げる。そうすると、まず二本の吊りベルト４，４の弛みがなくなり、これらが上方に引っ張られることで、巻付け部２の両端部に設けられた吊りベルト掛部３の夫々が反対側の吊りベルト掛部３に近づくように引っ張られる。これによって、図５に示すように、運搬物Ｔが巻付け部２で締め付けられる。ここで、巻付け部２の間隙８では、運搬物Ｔの一部が外方に向かって突出することとなるため、脱落を防止することができる。
【００３７】
図６に示すように、吊りベルト４による運搬物Ｔの引上げが始まるとこの吊りベルト４によって引き上げられる側が先に上方へ浮きあがる。このとき、反対側でも補助ベルト５による吊上げの力が運搬物Ｔに対して作用し始める。このままフックＦを上方に更に引き上げることで、運搬物Ｔは、斜めに傾いた姿勢で空中に吊上げられる。このような傾いた姿勢のままで吊り上げられることで、巻付け部２の運搬物Ｔへの十分な食い込みを保持することができ、真上に上げる場合と比べて抜け落ち難く、安全に運搬物Ｔを吊上げることができるものとしている。また、この傾いた姿勢による吊上げでは、補助ベルト５が運搬物Ｔの上端に係合するため、運搬物Ｔの過度の傾斜を防止することができる。
【００３８】
上述のように、吊り具１は、運搬物Ｔの重量が大きければ大きいほど、巻付け部２による運搬物Ｔの締付けの力が大きくなるものであるため、運搬物Ｔの重量の関係なく、確実且つ安全に運搬物Ｔと吊り上げることができるものである。
【００３９】
なお、本実施形態では、直方体状のフレキシブルコンテナバッグに収容した運搬物の吊上げ及び運搬するものとして説明したが、これに限らず、一般的な円筒状のフレキシブルコンテナバッグに収容した運搬物や、袋体に収容されない運搬物を吊上げ及び運搬するものであってもよい。また、吊りベルトの巻付け部への取付けは吊りベルト掛部を介して行うものに限らず、直接巻付け部に取り付けたものであっても良く、また、巻付け部と一体的に設けられたものであってもよい。さらに、吊りベルトの吊りベルト掛部への係合は、二本の吊りベルトを互いに略く字状に吊りベルト掛部に係合させることで、簡易な構成とし製造コストの低廉化及び吊りベルトの摩耗による吊りベルトの交換を容易なものとしているが、これに限らず、吊りベルトを上方に引き上げることで巻付け部の両端部を近づく方向に力が作用する構成であればよく、一本の吊りベルトを対向する吊りベルト掛部に交互に係合させたものとして、部品点数を減らしたものとしてもよい。
【符号の説明】
【００４０】
１     吊上げ具
２     巻付け部
３     吊りベルト掛部
４     吊りベルト
５     補助ベルト
６     長尺ベルト
６ａ   長尺ベルト（幅広）
６ｂ   長尺ベルト（幅狭）
７     連結体
７ａ   連結体（幅広）
７ｂ   連結体（幅狭）
８     間隙
Ｔ     運搬物
Ｆ     フック
【図１】
2018065646.tif 000003
【図２】
2018065646.tif 000004
【図３】
2018065646.tif 000005
【図４】
2018065646.tif 000006
【図５】
2018065646.tif 000007
【図６】
2018065646.tif 000008
【図７】
2018065646.tif 000009